(57)【要約】【課題】  小さな表示領域でも、未開封電子メールに関する情報を表示できるようにすること。【解決手段】  無線系回路１０２は電子メールを受信し、記憶回路１０５に前記受信した電子メールを記憶する。制御系回路１０４は記憶回路１０５に記憶した電子メールの中から開封する電子メールを選択する。ディスプレイ１０３は制御系回路１０４が選択した電子メールを開封してその内容を表示すると共に、制御系回路１０４が未開封と判別した電子メールに関して、未開封電子メール総件数中の番号、未開封電子メールの件名、送信者名等の情報をテロップ表示する。【選択図】  図１
2009147837.tif 000002
【特許請求の範囲】
【請求項１】
記憶手段に記憶した受信電子メールが開封済みか否か判別し、未開封と判別した電子メールに関する情報を表示手段にテロップ表示することを特徴とする電子メールの表示方法。
【請求項２】
前記電子メールに関する情報として、未開封電子メール総件数中の当該未開封電子メールの番号をテロップ表示することを特徴とする請求項１記載の電子メールの表示方法。
【請求項３】
前記電子メールに関する情報として、更に、未開封電子メールの件名、送信者名、メールアドレスをテロップ表示することを特徴とする請求項２記載の電子メール表示方法。
【請求項４】
前記未開封電子メールは新着電子メールであることを特徴とする請求項１乃至３のいずれか一に記載の電子メール表示方法。
【請求項５】
電子メールを受信する受信手段と、前記受信した電子メールを記憶する記憶手段と、前記記憶手段に記憶した電子メールの中から開封する電子メールを選択する開封メール選択手段と、前記記憶手段に記憶した電子メールが開封済みか否か判別する判別手段と、前記開封メール選択手段が選択した電子メールを開封してその内容を表示すると共に、前記判別手段が未開封と判別した電子メールに関する情報をテロップ表示する表示手段とを備えて成ることを特徴とする携帯型通信装置。
【請求項６】
前記表示手段は、前記電子メールに関する情報として、未開封電子メール総件数中の当該未開封電子メールの番号をテロップ表示することを特徴とする請求項５記載の携帯型通信装置。
【請求項７】
前記表示手段は、前記電子メールに関する情報として、更に、未開封電子メールの件名、送信者名、メールアドレスをテロップ表示することを特徴とする請求項６記載の携帯型通信装置。
【請求項８】
前記未開封電子メールは新着電子メールであることを特徴とする請求項５乃至７のいずれか一に記載の携帯型通信装置。
【発明の詳細な説明】
【技術分野】
【０００１】
本発明は、携帯電話機等の携帯型通信装置によって受信した電子メールの表示方法、電子メールを受信する携帯型通信装置に関する。
【背景技術】
【０００２】
従来から、携帯電話やコンピュータを等の通信機能を有する携帯型通信装置によって電子メールの送受信が行われている。
例えば、従来の携帯電話では、電子メールを受信すると、そのディスプレイに受信メールの確認促進表示をおこない、その表示を指定して選択すると、最新の１件のみについて表示を行う。
【０００３】
この場合、複数のメールを受信した場合、最新の１件以外の残りの新着電子メールがある場合、見逃しによる機会損失が発生する可能性がある。
また、電子メールの振り分け先フォルダが複数あるとき、複数のフォルダに新着電子メールが存在する場合には、選択した新着子メールの表示が終了した後、当該新着電子メールの存在するホルダ内の電子メールが表示されるため、他のフォルダ内の新着電子メールを見逃す恐れがある。
【０００４】
図１０〜図１４は従来の携帯電話における新着電子メールの簡易確認操作の手順及び画面遷移を示す図である。図１０は受信メール一覧の例、図１１は電子メール受信直後の待ち受け表示画面、図１２は新着電子メールの件名表示画面、図１３は受信メールの表示例、図１４は受信ＢＯＸ内の受信メール一覧表示例である。
尚、新着電子メールとは、ユーザがメール機能を終了してから次回メール機能を起動するまでに網から受信したメールを意味している。また、新着電子メールの簡易確認操作とは、新着電子メールの受信後にディスプレイ１０３に表示される新着電子メールアイコンを指定して選択することで新着電子メールの一部を確認すること、及び同アイコンの指定中に選択ボタンを押下し、そのメール本文を確認するまでの操作を示すこととする。
【０００５】
網から受信したメールは、図１０に示す受信メール一覧に格納される。受信メール一覧には、受信した各電子メール毎に、受信した電子メールの番号、格納されたフォルダ名、開封状態（未開封か既読か）、送信タイムスタンプ、受信タイムスタンプ、件名、送信者、送信者のメールアドレスが対応付けて記憶回路に記憶される。
【０００６】
次に、図１１のように、ディスプレイに、新着電子メールを示すアイコンの表示を行う。新着電子メールアイコンをキーボードにて指定して選択すると、図１０の受信メール一覧で最新の電子メールについて、図１２に示すように電子メールの件名を表示する。
さらに、新着電子メールアイコンが指定さている状態で、キーボード中の選択キーを押下すると、図１３に示すメール本文を表示することができる。
【０００７】
図１３のメールを確認した後、受信したメールを一覧表示する場合、メール機能の階層をキーボード中の戻るボタンを押下して遷移すると、図１４に示す受信ＢＯＸフォルダ内の一覧が表示される。
ここで、図１０の受信メール一覧中の番号１、番号２、番号３を新着電子メールとして複数受信した電子メールとすると、番号２、番号３については、格納先フォルダが最新メールである番号１と異なるため、本簡易確認操作手順ではユーザに認知されないことになる。
【０００８】
前記問題を解決するのに有効と思われる発明として、電子メールの振り分け先フォルダが複数ある場合でも新着電子メールを一覧表示するようにし、又、新着電子メール一覧からメールを選択した場合にはメール本文を表示した後、戻り先を新着電子メール一覧にするようにした携帯端末が開示されている（例えば、特許文献１参照）。
これにより、新着電子メールの見逃しを防止でき又、新規メールをすぐに読むことができ、煩わしさが無くなる等の効果が得られる。
【０００９】
しかしながら、前記特許文献１記載の発明では、一覧表示するため、大きな表示領域を必要するという問題がある。時に、携帯電話等の携帯型通信装置では、小型化の要請があり、表示領域も自ずと小さくなるため、大きな表示領域を必要とする一覧表示では使い勝手の良い表示が困難という問題がある。
【００１０】
【特許文献１】特開２００５−１４９３７２号公報
【発明の開示】
【発明が解決しようとする課題】
【００１１】
本発明は、小さな表示領域でも、未開封電子メールに関する情報を表示可能な電子メール表示方法を提供することを課題としている。
本発明は、小さな表示領域でも、未開封電子メールに関する情報を表示可能な携帯型通信装置を提供することを課題としている。
【課題を解決するための手段】
【００１２】
本発明によれば、記憶手段に記憶した受信電子メールが開封済みか否か判別し、未開封と判別した電子メールに関する情報を表示手段にテロップ表示することを特徴とする電子メールの表示方法が提供される。
記憶手段に記憶した受信電子メールが開封済みか否か判別し、未開封と判別した電子メールに関する情報を表示手段にテロップ表示する。
【００１３】
ここで、前記電子メールに関する情報として、未開封電子メール総件数中の当該未開封電子メールの番号をテロップ表示するように構成してもよい。
また、前記電子メールに関する情報として、更に、未開封電子メールの件名、送信者名、メールアドレスをテロップ表示するように構成してもよい。
また、前記未開封電子メールは新着電子メールであってもよい。
【００１４】
また、本発明によれば、電子メールを受信する受信手段と、前記受信した電子メールを記憶する記憶手段と、前記記憶手段に記憶した電子メールの中から開封する電子メールを選択する開封メール選択手段と、前記記憶手段に記憶した電子メールが開封済みか否か判別する判別手段と、前記開封メール選択手段が選択した電子メールを開封してその内容を表示すると共に、前記判別手段が未開封と判別した電子メールに関する情報をテロップ表示する表示手段とを備えて成ることを特徴とする携帯型通信装置が提供される。
【００１５】
受信手段は電子メールを受信する。記憶手段は前記受信した電子メールを記憶する。開封メール選択手段は前記記憶手段に記憶した電子メールの中から開封する電子メールを選択する。判別手段は前記記憶手段に記憶した電子メールが開封済みか否か判別する。表示手段は前記開封メール選択手段が選択した電子メールを開封してその内容を表示すると共に、前記判別手段が未開封と判別した電子メールに関する情報をテロップ表示する。
【００１６】
ここで、前記表示手段は、前記電子メールに関する情報として、未開封電子メール総件数中の当該未開封電子メールの番号をテロップ表示するように構成してもよい。
また、前記表示手段は、前記電子メールに関する情報として、更に、未開封電子メールの件名、送信者名、メールアドレスをテロップ表示するように構成してもよい。
また、前記未開封電子メールは新着電子メールであってもよい。
【発明の効果】
【００１７】
本発明の電子メール表示方法によれば、小さな表示領域でも、未開封電子メールに関する情報を表示可能である。
また、本発明の携帯型通信装置によれば、小さな表示領域でも、未開封電子メールに関する情報を表示可能である。
【発明を実施するための最良の形態】
【００１８】
先ず、本発明の実施の形態の概要を説明すると、本実施の形態では、受信メール一覧から未開封の電子メールを抽出する機能を具備している。電子メールの受信処理後に、未開封の電子メール全てを対象にテロップ表示をおこなうことを可能とすることで、ユーザの電子メールの読み損ないを防止する。また、テロップ表示の対象は、未開封電子メールに含まれる新着電子メールに限定せず、選択により未開封電子メール全部とすることで、電子メールの開封を促すことが出来る。また、テロップ表示対象とする電子メールについては一覧化してその内容を確認することを可能とするため、開封漏れについても低減することが出来る。ディスプレイに受信メールの確認促進表示の選択を促し、その確認促進表示を選択することにより、未開封電子メールのテロップ表示を行うようにしてもよい。
【００１９】
以下、本発明の実施の形態に係る電子メール表示方法、携帯型通信装置について詳細に説明する。
図１は、本発明の実施の形態に係る携帯型通信装置の簡略化したブロック図で、携帯電話の例を示している。
図１において、１０は携帯電話、１０１はキーボード、１０２は無線系回路、１０３はディスプレイ、１０４は制御系回路、１０５は記憶回路、１０５１は受信メール一覧のデータ、１０５２は受信メール件数のデータ、１０６は音声系回路、１０７はマイク、１０８はスピーカを示す。
【００２０】
携帯電話１０が網から電子メールを受信する場合の処理は、無線系回路１０２にて変調データを受信し、制御系回路１０４にて復調し、記憶回路１０５にそのメール内容を格納する。また、制御系回路１０４はディスプレイ１０３にメール受信マークを表示、及び音声系回路１０６を介してメール受信を表す着信音をスピーカ１０８より鳴音する。
使用者はキーボード１０１にてディスプレイ１０３のガイダンスに従い、受信した電子メールの内容をディスプレイ１０３に表示して読むことができる。
【００２１】
制御系回路１０４は受信メール一覧１０５１として、送信タイムスタンプ、受信タイムスタンプ、件名、送信者、メールアドレス、未開封／既読のフラグ、メールの格納フォルダの等の電子メールに関する情報を記憶回路１０５に格納する。
同様に、ユーザがメール機能を終了してから次回メール機能を起動するまでに網から受信した電子メール（後述する新着電子メールに相当する）の件数１０５２を記憶回路１０５に格納する。
【００２２】
メールの受信処理が終了した後、制御系回路１０４は、ディスプレイ１０３に新着電子メールがある旨のアイコン表示を行う。ユーザがそのアイコン表示をキーボード１０１にて指定して選択すると、制御系回路１０４はディスプレイ１０３に受信したメールの一部を表示する。
制御系回路１０４は、キーボード１０１の操作に応答する処理動作、ディスプレイ１０３の表示制御動作をはじめとして、電子メールが開封済みか否かの判別処理、開封する電子メールの選択処理等の各種処理動作を行う。
【００２３】
ここで、キーボード１０１は操作手段を構成し、無線系回路１０２は受信手段を構成し、制御系回路１０４は判別手段を構成している。ディスプレイ１０３は制御系回路１０４とともに表示手段を構成している。また、制御系回路１０４はキーボード１０１とともに開封メール選択手段を構成している。記憶回路１０５は記憶手段を構成し、音声系１０６、マイク１０７及びスピーカ１０８は音声入出力手段を構成している。
【００２４】
受信手段は電子メールを受信することができ又、送信することができる。記憶手段は受信手段が受信した電子メールを記憶することができる。開封メール選択手段は前記記憶手段に記憶した電子メールの中から開封する電子メールを選択することができる。判別手段は前記記憶手段に記憶した電子メールが開封済みか否か判別することができる。表示手段は前記開封メール選択手段が選択した電子メールを開封してその内容を表示すると共に、前記判別手段が未開封と判別した電子メールに関する情報をテロップ表示することができる。
【００２５】
また、前記表示手段は、前記電子メールに関する情報として、テロップ表示する未開封電子メールの未開封電子メール総件数中の番号をテロップ表示することができる。
また、前記表示手段は、前記電子メールに関する情報として、更に、未開封電子メールの件名、送信者名及びメールアドレスの全て、又は、これらの中の１つあるいは複数をテロップ表示することができる。
前記未開封電子メールは新着電子メールであってもよい。
【００２６】
尚、本実施の形態においても前述したとおり、新着電子メールとは、ユーザがメール機能を終了してから次回メール機能を起動するまでに網から受信したメールを意味している。また、新着電子メールの簡易確認操作とは、新着電子メールの受信後にディスプレイ１０３に表示される新着電子メールアイコンを指定して選択することで新着電子メールの一部を確認すること、及び同アイコンの指定中に選択ボタンを押下し、その電子メール本文を確認するまでの操作を意味している。
【００２７】
次に、携帯電話１０の一般的な受信メール機能について簡単に説明する。受信メールＢＯＸ内のフォルダ構成例を図２に示す。
図２はディスプレイ１０３の表示を示す図で、本例では複数のフォルダの名称として、受信ＢＯＸ、会社、サークル、ｔｅｍｐ、ゴミ箱が付与されている。
受信したメールを格納する各フォルダは記憶回路１０５内に設けられ、メールの整理のためユーザが任意に作成することが出来、又、受信メールを任意のフォルダに移動することが出来る。送信者のメールアドレスが既知である場合、ユーザは、メール受信時に自動で任意のフォルダに割り振ることも出来る。
【００２８】
次に、本実施の形態の動作を図１、図３、図４、図８、図１０を用いて説明する。
図３はディスプレイ１０３における全新着電子メールの件名表示画面の変化（同図（ａ）〜（ｃ））を示す図、図４は新着電子メール本文表示（同図（ａ））から新着電子メール一覧表示（同図ｂ）への遷移例を示す図である。また、図８は記憶回路１０５に記憶される新着電子メール一覧を示す図で、新着電子メール一覧はテーブルとして記憶されている。
【００２９】
新着電子メールの簡易確認操作手順について、前述した従来の携帯電話との違いについて以下に述べる。
新着電子メールを受信した際に、新着電子メールの件数を受信メール件数１０５２として記憶回路１０５に一次記憶させる。新着電子メールアイコンより受信メールのタイトル表示を行う場合、前述した従来例では図１０の受信メール一覧から最新の１件の件名としたが、本実施の形態では、新着電子メールを、送信タイムスタンプと受信メール件数１０５２をもとに、記憶回路１０５に記憶した図１０の受信メール一覧から図８の新着電子メール一覧の如く抽出する。
【００３０】
次に、送信タイムスタンプ順に受信メール件数分、未開封電子メール（図３の例では新着電子メール）の件名を図３（ａ）〜（ｃ）の如くテロップ表示する。テロップ表示とは、文字を一定時間間隔で特定の方向に流しながら表示していくことを意味している。
ここでは、全新着電子メールの件名の表示のみならず、新着電子メールとしての総件数をユーザに認識させるため、件名の前に未開封電子メールの受信件数及びテロップ表示している電子メールの最新からの番号についても表示することで、認知度を向上させることが出来る。
【００３１】
さらに、新着電子メールの本文を確認した後（図４（ａ））、キーボード１０１の戻るボタンを押下して階層を遷移する場合は、図４（ｂ）の如く、新着電子メールが一覧表示される。
図４の新着電子メール一覧内の未開封メールは、受信メール一覧上では既読メールと異なるフォルダに格納されているが、本操作においては同一の階層にて一覧表示を行えるため、新着電子メールの開封漏れについても低減することが出来る。
尚、ここでは新着電子メールの範囲を網から受信した新着電子メール受信件数で規定したが、受信タイムスタンプを代用することも可能である。
【００３２】
以上のように、本発明の実施の形態に係る電子メール表示方法、携帯型通信装置によれば、無線系回路１０２は電子メールを受信し、記憶回路１０５に前記受信した電子メールを記憶し、制御系回路１０４は記憶回路１０５に記憶した電子メールの中から開封する電子メールを選択する。また、ディスプレイ１０３は制御系回路１０４が選択した電子メールを開封してその内容を表示すると共に、制御系回路１０４が未開封と判別した電子メールに関して、未開封電子メール総件数中の番号、未開封電子メールの件名、送信者名等の情報をテロップ表示するようにしている。
【００３３】
したがって、ディスプレイ１０３の表示領域が小さい場合でも、未開封電子メールに関する情報を表示することが可能になる。また、従来と同様の操作手順にて、未開封となりがちな新着電子メールについて全件表示する手段を提供し、又、簡易操作より開封したメールからの遷移先を未開封の新着電子メール一覧に誘導することで、利便性の確保をしながらも、受信メールの見逃しを低減することが出来るという効果を奏する。
【００３４】
また、携帯電話のメール機能において、簡易操作により新着もしくは未開封の受信メールの内容と対象メール件数の確認が可能になる。また、ユーザは従来と同様の操作にてメール本文を確認した後のメール一覧表示への戻り先を、新着もしくは未開封の受信メール一覧とすることが可能になる。
【００３５】
次に、本発明の他の実施の形態について説明する。本他の実施の形態の回路ブロック図は図１と同じであり、その動作を、図１、図５、図６、図７、図９、図１０を用いて説明する。
尚、図５は新着電子メール本文表示（同図（ａ））から未開封電子メール一覧表示（同図（ｂ））への遷移例を示す図、図６は全新着電子メールの送信者名表示が変化する例（同図（ａ）〜同図（ｃ））を示す図である。
【００３６】
図７は受信電子メールテロップ表示選択の表示例を示す図で、新着電子メールと未開封電子メールの各々に関して、件名表示、送信者名表示、メールアドレスのテロップ表示の選択が可能なように構成されている。いずれの態様でテロップ表示するかをキーボード１０１によって選択すると、制御系回路１０４が選択された態様でディスプレイ０３にテロップ表示する。また、図９は記憶回路１０５に記憶される未開封受信メール一覧であり、テーブルとして記憶されている。
【００３７】
前述した実施の形態では簡易確認操作手順にて、新着電子メールを確認する手段を説明したが、同様に、未開封のメールについても、受信メール一覧より未開封／既読のフラグを用いることで、制御系回路１０４は記憶回路１０５に記憶した図１０の受信メール一覧から図９の未開封受信メール一覧を抽出することが出来る。さらに、未開封電子メールの本文を確認した後、階層を一覧表示画面に遷移した場合は、図５の如く、未開封電子メール一覧を表示する。
【００３８】
図５の未開封電子メール一覧では、図１０の受信電子メール一覧上の全ての未開封メールについて一覧表示を行うことになるため、電子メールの開封漏れについてユーザは再認識することが出来る。
このように、従来と同様の操作手順にて、未開封電子メールについて全件表示する手段を提供し、又、簡易操作より開封した電子メールからの遷移先を未開封の電子メール一覧に誘導することで、利便性の確保をしながらも、受信電子メールの見逃しを低減することが出来る。
【００３９】
尚、前述のテロップ表示については、件名のプレビュー以外にも、図６の如く送信者名や、送信者のメールアドレスを表示することが可能である。また、テロップ表示する対象については、図７の如く、新着電子メール、未開封メールの他、送信者名、メールアドレスを表示させるかをユーザが選択できる手段を設けることで切り替えを行うことも可能である。
【００４０】
尚、前記各実施の形態では、携帯型通信装置が携帯電話の例で説明したが、ＰＨＳ（Personal Handyphone System）、ＰＤＡ（Personal Data Assistance,Personal Digital Assistants：個人向け携帯型情報通信機器）等の電子メール通信機能を有する携帯型通信装置に利用可能である。
【産業上の利用可能性】
【００４１】
携帯電話、ＰＨＳ、ＰＤＡ、携帯型パソコンをはじめとして、電子メール通信機能を有する携帯型通信装置に利用可能である。
【図面の簡単な説明】
【００４２】
【図１】本発明の実施の形態に係る携帯電話のブロック図である。
【図２】本発明の実施の形態における受信メールＢＯＸ内のフォルダ構成例を示す図である。
【図３】本発明の実施の形態における全新着電子メールの件名表示画面を示す図である。
【図４】本発明の実施の形態における新着電子メール本文表示から新着電子メール一覧表示への遷移例を示す図である。
【図５】本発明の実施の形態における新着電子メール本文表示から未開封電子メール一覧表示への遷移例を示す図である。
【図６】本発明の実施の形態における全新着電子メールの送信者名表示の遷移例を示す図である。
【図７】本発明の実施の形態における受信電子メールテロップ表示選択の表示例を示す図である。
【図８】本発明の実施の形態における新着電子メール一覧を示すテーブルである。
【図９】本発明の実施の形態における未開封受信メール一覧を示すテーブルである。
【図１０】本発明の実施の形態も含む一般的な受信メール一覧を示すテーブルである。
【図１１】従来の携帯電話におけるメール受信直後の待ち受け表示画面を示す図である。
【図１２】従来の携帯電話における新着電子メールの件名表示画面を示す図である。
【図１３】従来の携帯電話における受信メール表示例を示す図である。
【図１４】従来の携帯電話における受信ＢＯＸ内の受信電子メール一覧表示例を示す図である。
【符号の説明】
【００４３】
１０・・・携帯電話
１０１・・・キーボード
１０２・・・無線系回路
１０３・・・ディスプレイ
１０４・・・制御系回路
１０５・・・記憶回路
１０５１・・・受信メール一覧
１０５２・・・受信メール件数
１０６・・・音声系回路
１０７・・・マイク
１０８・・・スピーカ
【図１】
2009147837.tif 000003
【図２】
2009147837.tif 000004
【図３】
2009147837.tif 000005
【図４】
2009147837.tif 000006
【図５】
2009147837.tif 000007
【図６】
2009147837.tif 000008
【図７】
2009147837.tif 000009
【図８】
2009147837.tif 000010
【図９】
2009147837.tif 000011
【図１０】
2009147837.tif 000012
【図１１】
2009147837.tif 000013
【図１２】
2009147837.tif 000014
【図１３】
2009147837.tif 000015
【図１４】
2009147837.tif 000016